Podtech/llm-jp-corpus-v4-ja_patent huggingface dataset:
(57)【要約】【課題】紫外発光体の励起により三原色のいずれかの発光を示す新規の発光ダイオード用蛍光体を提供する。【解決手段】一般式：Ｎａ３（Ｙ１−ｘＥｕｘ）Ｓｉ２Ｏ７（０＜ｘ＜１）で表される組成からなる。Ｅｕの濃度は、２０〜８０モル％とするのが好ましい。発光色は深い赤色であり、紫外発光ダイオード又は青色発光ダイオードにより励起可能な赤色蛍光体として用いることができる。【選択図】なし【特許請求の範囲】
【請求項１】
一般式：Ｎａ３（Ｙ１−ｘＥｕｘ）Ｓｉ２Ｏ７（０＜ｘ＜１）で表される組成からなることを特徴とする発光ダイオード用蛍光体。
【請求項２】
Ｅｕの濃度が２０〜８０モル％であることを特徴とする請求項１記載の発光ダイオード用蛍光体。
【発明の詳細な説明】
【技術分野】
【０００１】
本発明は、発光ダイオード用蛍光体に関する。
【背景技術】
【０００２】
発光ダイオードは低消費電力、長寿命という優れた特性を持つことから信号機や照明器具など光源として利用され始めている。そして、青色発光ダイオードと黄色発光蛍光体ＹＡＧ：Ｃｅ３＋を組み合わせた白色発光ダイオードが開発されたことで、高出力の可視発光ダイオードの研究が多方面で進められている（例えば、特許文献１を参照）。
【特許文献１】特開２００３−１０５３３６号公報
【発明の開示】
【発明が解決しようとする課題】
【０００３】
しかし、ＹＡＧ：Ｃｅ３＋の発光色は緑がかった黄色であり、青色発光蛍光体で励起した場合に、色温度が高い冷たい白色光しか得られない。このため、紫外発光ダイオードの励起により三原色である青、緑、赤の発光色を有する蛍光体を組み合わせて、演色性の高い白色光を得る方法が検討されており、新たな発光ダイオード用蛍光体が求められていた。
【０００４】
そこで、本発明は上記問題点に鑑み、紫外発光ダイオードの励起により三原色のいずれかの発光を示す新規の発光ダイオード用蛍光体を提供することをその目的とする。
【課題を解決するための手段】
【０００５】
上記課題を達成するため種々検討した結果、Ｎａ３ＹＳｉ２Ｏ７にＥｕ３＋をドープすることによって、近紫外光域の励起光によって赤色発光を示すことを見出し、本発明を完成させた。
【０００６】
すなわち、本発明の発光ダイオード用蛍光体は、一般式：Ｎａ３（Ｙ１−ｘＥｕｘ）Ｓｉ２Ｏ７（０＜ｘ＜１）で表される組成からなることを特徴とする。
【０００７】
また、Ｅｕの濃度が２０〜８０モル％であることを特徴とする。
【発明の効果】
【０００８】
本発明によれば、紫外発光ダイオード又は青色発光ダイオードの励起により赤色域の発光を示す新規の発光ダイオード用蛍光体を提供することができる。
【発明を実施するための最良の形態】
【０００９】
本発明の発光ダイオード用蛍光体は、一般式：Ｎａ３（Ｙ１−ｘＥｕｘ）Ｓｉ２Ｏ７（０＜ｘ＜１）で表される組成からなる。すなわち、母体結晶Ｎａ３ＹＳｉ２Ｏ７（イットリウム珪酸ナトリウム）に発光イオンとしてＥｕ３＋を付活した構造を有している。
【００１０】
原料としてＮａ２ＣＯ３、Ｙ２Ｏ３、ＳｉＯ２、Ｅｕ２Ｏ３を用い、これらの原料をＮａ２ＣＯ３：Ｙ２Ｏ３：ＳｉＯ２：Ｅｕ２Ｏ３＝３：（１−ｘ）：４：ｘのモル比で混合した後、空気中で1000℃以上で焼成を行うことで、単一相の一般式：Ｎａ３（Ｙ１−ｘＥｕｘ）Ｓｉ２Ｏ７（０＜ｘ＜１）で表される組成の発光ダイオード用蛍光体を得ることができる。
【００１１】
本発明の発光ダイオード用蛍光体は、近紫外域の394nmにＥｕ３＋の７Ｆ０→５Ｌ６の遷移による部分的に高い励起スペクトルのピークがあり、また、青色域の465nmにも部分的に高い励起スペクトルのピークがあり、赤色域の615nmにＥｕ３＋のｆ−ｆ遷移に伴うシャープな発光スペクトルを有する。発光色は深い赤色であり、紫外発光ダイオード又は青色発光ダイオードにより励起可能な赤色蛍光体として用いることができる。
【００１２】
そして、本発明の発光ダイオード用蛍光体と、紫外発光ダイオード又は青色発光ダイオードとを組み合わせ、さらに、その他の発光色を有する蛍光体と組み合わせることで、高い演色性を有する白色光発光が可能になり、照明用発光ダイオード用の蛍光体として利用できる。
【００１３】
なお、Ｅｕ濃度が２０〜８０モル％のときに、比較的高強度の発光が見られることから、Ｅｕの濃度は２０〜８０モル％であることが好ましい。
【００１４】
本発明によれば、紫外発光ダイオード又は青色発光ダイオードの励起により赤色域の発光を示す新規の発光ダイオード用蛍光体を提供することができる。
【００１５】
なお、本発明は上記実施形態に限定されるものではなく、本発明の思想を逸脱しない範囲で種々の変形実施が可能である。
【実施例１】
【００１６】
原料としてＮａ２ＣＯ３、Ｙ２Ｏ３、ＳｉＯ２、Ｅｕ２Ｏ３を用い、Ｅｕの濃度が１、５、２０、４０、６０、８０モル％になるようにそれぞれ秤量した。原料をアセトンで湿式混合した後、空気中で1200℃、６時間の条件で焼成を行った。
【００１７】
Ｅｕの濃度が１、５、２０、４０、６０、８０モル％のときの粉末Ｘ線回折（ＸＲＤ）パターンの測定結果を図１に示す。いずれのＥｕ濃度においても、単一相のＮａ３（Ｙ１−ｘＥｕｘ）Ｓｉ２Ｏ７が得られたことが確認された。
【００１８】
また、励起スペクトルと蛍光スペクトルの測定結果を図２に示す。近紫外域の394nmと青色域の465nmに部分的に高い励起スペクトルのピークがあり、赤色域の615nmにシャープな発光スペクトルが見られた。その発光色は深い赤色であり、紫外発光ダイオード又は青色発光ダイオードにより励起可能な赤色蛍光体として用いることができることが確認された。
【００１９】
さらに、Ｅｕ濃度と394nmにおける蛍光スペクトルの発光強度の関係を図３に示す。Ｅｕ濃度が２０〜８０モル％のときに、比較的高強度の発光が見られた。
【図面の簡単な説明】
【００２０】
【図１】実施例１で得られたＮａ３（Ｙ１−ｘＥｕｘ）Ｓｉ２Ｏ７のＸＲＤパターンである。
【図２】実施例１で得られたＮａ３（Ｙ１−ｘＥｕｘ）Ｓｉ２Ｏ７の励起発光スペクトルである。
【図３】実施例１で得られたＮａ３（Ｙ１−ｘＥｕｘ）Ｓｉ２Ｏ７のＥｕ濃度と394nmにおける蛍光スペクトルの発光強度の関係を示すグラフである。
【図１】
2008069250.tif 000002
【図２】
2008069250.tif 000003
【図３】
2008069250.tif 000004
(57)【要約】【課題】加速度センサーを利用し、携帯時には歩行時に立ち止ることを利用し、設置時には取り付け工事の必要が無く、簡単に取付けできる多機能防犯ブザーを提供する。【解決手段】本発明は、加速度センサーを内蔵した防犯ブザーで、携帯時には立ち止まる事により不審者に威嚇し、設置時にはドアを開けたときに振動しそうな場所に置くだけで設置工事を不要とすることにより解決できる。【選択図】図３
2008198169.tif 000002
【特許請求の範囲】
【請求項１】
筺体内に加速度センサー、ブザー、電子回路、電池を設けて、前記加速度センサー関連回路の電源スイッチとして筺体下部に作動スイッチ設け、前記加速度センサー関連回路と前記作動スイッチで動作可能にし、歩行による振動の変化によりブザーを駆動可能に構成し、歩行停止による振動がない場合と端子部を引き抜く事により、不審者に対してブザーを駆動させ不審者に威嚇すると共に周り知らせる携帯型防犯ブザー。
【請求項２】
前記携帯型防犯ブザーは、さらに建物・車等、侵入者検知器として床やドア、窓等に置くことにより侵入者が窓やドアに触れた時の振動を検知することを目的とした加速度センサーを内蔵し、取り付け工事を不要とした防犯ブザーで振動により侵入者を検知すると本器に内蔵しているブザーを駆動させ侵入者に威嚇すると共に住人や周りの人に侵入者を検知した事を知らせる携帯型防犯ブザー。
【発明の詳細な説明】
【技術分野】
【０００１】本発明は振動の変化により防犯ブザーを作動させる事ができる装置に関する。
【背景技術】
【０００２】従来の防犯ブザーは端子部を引き抜くと鳴るものがある。
【発明の開示】
【発明が解決しようとする課題】
【０００３】これには次の問題があった。特に低学年は知らない人に突然声をかけられてもビックリして端子部を引き抜く事ができない。又建物や車等に設置する場合は配線工事など必要なものが多い。
【課題を解決するための手段】
【０００４】知らない人に声をかけられて、ビックリしても立ち止まれば加速度センサーが反応してブザーが徐々に鳴り出す。加速度センサーが反応中はしばらくすると通常の防犯ブザーと同じにしばらくなり続ける。【０００５】建物・車等などの物に対しては、床、ドア、窓に筺体を置くことにより簡単に取り付け設置工事を不要とすることができる。
【発明の効果】
【０００６】防犯ブザーを持つ事により犯罪を未然に防止する効果が期待できる。
【実施例】
【０００７】本発明の実施例について、図１、図２、図３を参照して以下に説明する。
図１は多機能防犯ブザーの略図的な断面図である。
容器には筺体（上）１、筺体（下）２に分割されており、筺体（上）１にはブザーのための開口３が設けられている。容器内部にはブザー４、加速度センサー５、電池６、制御部マイコン７、赤外線センサー８の収容部が設けられている。赤外線センサーは筺体下部にピン８、電池充電用ピン９は側面に設置されている。【０００８】図２は実施例における多機能防犯ブザーの機能ブロック図である。
制御部マイコン７を中心にブザー４、加速度センサー５、赤外線センサー８、ピン８を配置した構造になっており、加速度センサー、赤外線センサー、ピンの情報を元に制御部マイコンによりブザーの駆動制御を行っている。【０００９】図３は前記実地例を示すフローチャートである。
赤外線センサーが反応ありの状態で加速度センサーに振動がある条件になると歩行モードにはいり、歩行中加速度センサーに振動がない条件すなわち立ち止まり条件に入った時、数十秒後にブザー音がなる。その後数十秒間同じ条件の時は、ブザー音が鳴り続け、加速度センサーに振動があるまで鳴り続ける。
途中で振動があった場合は、ブザー音が停止する。
ピンは緊急時の場合、ピンを引き抜く事でブザーが鳴り続ける。
赤外線センサーが反応無しの状態で加速度センサーに振動がない条件で時間がすぎると設置モードにはいり、設置モード中に加速度センサーに振動があった場合はブザー音が鳴り続ける。赤外線センサーが反応ありの状態になった時ブザーが停止する。
【図面の簡単な説明】
【００１０】
【図１】本発明による多機能防犯ブザーの実施例の略図的な断面図である。
【図２】前記実施例装置の機能の実施を示すブロック図である。
【図３】前記実施例装置の制御部の動作を示すフローチャートである。
【符号の説明】
【００１１】  １  筺体（上）
２  筺体（下）
３  開口
４  ブザー
５  加速度センサー
６  電池
７  制御部マイコン
８  赤外線センサー
９  電池充電用ピン
１０  ピン
【図１】
2008198169.tif 000003
【図２】
2008198169.tif 000004
【図３】
2008198169.tif 000005
(57)【要約】【課題】  従来、キャシュカードやクレジットカード等には個人の暗証番号のみが登録されていたため、万が一犯罪に巻き込まれた場合、暗証番号が知れると犯人に使用され、警察に通報してから犯人逮捕までに相当な時間が掛かっていた。【解決手段】  キャシュカードやクレジットカード等は、カードの磁気帯やＩＣチップに通常の個人の暗証番号の他に非常用の暗証番号を記憶させることを特徴としている。【選択図】図１
2008198168.tif 000002
【特許請求の範囲】
【請求項１】
カッシュカードやクレジットカードに使用されている磁気カードやＩＣカードの磁気帯またはＩＣチップに個人の暗証番号の他に非常事態発生用の暗証番号を記憶できるようにしたことを特徴とする非常事態発生警報機能付カード。
【請求項２】
請求項１の非常事態発生警報機能付カードにおいて、犯罪に巻き込まれてカードが強奪された場合に、非常事態発生用の暗証番号を犯人に教えることによって、犯人がその暗証番号を現金自動預け払い機で使うと、その現金自動預け払い機の設置されている銀行やコンビニエンスストアから警察に通報することができ、速やかに犯人を逮捕することができることを特徴とする非常事態発生警報機能付カード。
【請求項３】
請求項１の非常事態発生警報機能付カードにおいて、カードを盗まれたり、強奪されたりしてカードが使用されるような犯罪が発生した場合に、非常事態発生用の暗証番号を犯人が使うことにより速やかに犯罪を解決すると共に犯罪を起こそうとしている人間にカードの暗証番号が非常用か正規の暗証番号か不安に感じ、犯罪の未然防止へと繋げることを特徴とする非常事態発生警報機能付カード。
【発明の詳細な説明】
【技術分野】
【０００１】  本発明は、キャシュカードやクレジットカード等を盗まれたり、強奪されたりした場合に犯人がカードを使用するのを未然に防止するのと、カードを使用された場合に警察への速やかな通報によって犯人逮捕に繋げる非常事態発生警報機能付カードに関する。
【背景技術】
【０００２】  従来、キャシュカードやクレジットカード等には個人の暗証番号のみが登録されていたため、万が一犯罪に巻き込まれた場合、暗証番号が知れると犯人に使用され、警察に通報してから犯人逮捕までに相当な時間が掛かっていた。
【発明の開示】
【発明が解決しようとする課題】
【０００３】  上述の如く、従来のキャシュカードやクレジットカード等は個人の暗証番号のみが登録されていたため、暗証番号を知られてしまうとそのカードを使って現金または物品の購入が簡単に行われてしまうという問題があった。【０００４】  本発明は、このような点に鑑みて成されたもので、その目的は、窃盗、強奪によってキャシュカードやクレジットカードを盗まれた場合に、カードの使用による被害を未然に防止すると同時に窃盗、強奪の犯人の早急な逮捕に結びつけることにある。
【課題を解決するための手段】
【０００５】  上述の目的を達成する本発明のキャシュカードやクレジットカード等は、カードの磁気帯やＩＣチップに通常の個人の暗証番号の他に非常用の暗証番号を記憶させることを特徴としている。【０００６】  犯罪に巻き込まれた場合に、該非常用暗証番号を犯人に教えることによって、該非常用暗証番号を犯人が使うとキャッシュカード読み取り機が判読し、読み取り機が設置されている銀行やコンビニエンスストア等の人や警察に通報して犯人を確保する。また、無人のキャッシュコーナにある読み取り機であればドアの鍵が施錠されて、犯人がキャッシュコーナから出られないようにして、警察に通報することができるようにしたことを特徴としている。
【発明の効果】
【０００７】  以上説明したように本発明の非常発生用機能付きのカードは、犯罪を起こそうとしている犯人にはカードの暗証番号が非常用か正規用かわからないために不安になりカード窃盗、強奪による犯罪の未然防止に効果がある。また、不運にも事件に遭遇した場合でも速やかに犯人逮捕に繋げることができる。
【発明を実施するための最良の形態】
【０００７】  以下に本発明の実施の形態を図面に基づき詳細に説明する。【０００８】  図１は代表的な磁気カードの平面図である。【０００９】  図１の磁気カード本体１の磁気帯２に個人の暗証番号の他に個人の非常用暗証番号も登録できるようにしたものである。
【実施例】
【００１０】  万が一犯罪に巻き込まれた被害者が非常用暗証番号を犯人に教えた場合、犯人はそれを持って現金自動預け払い機の読み取り機にカードを挿入して非常用暗証番号を打ち込むと、現金自動預け払い機の読み取り機は非常事態が発生したことを検出し、現金自動預け払い機の読み取り機が銀行内なら行員に、コンビニエンスストア内なら店員に犯人に気づかれないように極秘で異常が伝達されるようにし、緊急に警察に連絡できるようにする。【００１１】  または、各現金自動預け払い機と警察とが繋がっていて非常用暗証番号が使われた場合には、その現金自動預け払い機の所在が即座に判明し、急行できるようにする。【００１２】  また、犯人が戸外の現金自動預け払い機で非常用暗証番号を使って現金の引き出しを行った場合、現金自動預け払い機コーナ入り口に施錠が掛かり、そこから出られないようにする。
【図面の簡単な説明】
【００１３】
【図１】  本発明のキャシュカードやクレジットカード等の外観図である。
【符号の説明】
１：磁気カード本体
２：磁気帯
【図１】
2008198168.tif 000003
(57)【要約】【課題】市販の充電電動工具のバッテリーパックをバッテリーあがりの車のエンジン始動に使用する事で、他人の協力及び、時間や金の掛かるロードサービスを利用しなくても良い、又、迅速に且つ簡単に対応出来る。【解決手段】鰐口クリップ５を車のバッテリーターミナルに噛ませ、引き出し導体４の他方端に設けた、３電極キャップ又は、電池パッククリップ６を充電電動工具の電池パックに装着するだけでバッテリーあがりの車のエンジン始動が容易に出来る。【選択図】図１
2008198378.tif 000002
【特許請求の範囲】
【請求項１】
市販の充電電動工具の電池パック１の電極部に電気的に接触させる為の内側に電極を設けた電極キャップ３を設け、その電極キャップ３から引き出す、引き出し導体４を設け、その他方端に鰐口クリップ５を設けた、市販の電池パック１より電源を取り出す電池パック用自動車バッテリーブースター。
【請求項２】
請求項１の電極キャップ３の代わりに両極性の電極を持たせた電池パッククリップ６を設けた電池パック用自動車バッテリーブースター。
【発明の詳細な説明】
【技術分野】
【０００１】
本発明は、バッテリーの消耗した自動車のエンジンを応急で始動する際、充電電動工具の電池パックより電源を供給するバッテリーブースターに関するものである。
【背景技術】
【０００２】
駐車中等に灯火等をうっかり、点けたままで車を離れた場合、相当な時間が経過すると、車のバッテリーが消耗し、エンジン始動が出来なくなるのである。今までは他の車のバッテリーとその車のバッテリーとを、いわゆるブースターと言われる、両端に鰐口クリップの付いた電線ケーブルで繋いでエンジンを始動していた。      
【０００３】
又は、いわゆる、JAF等のロードサービスを利用しているが、サービス車が来るまで、相当の時間が掛かる場合もあり、又、会員でなければ高額なサービス料金を徴収されている。
【０００４】
この改善策として、乾電池を自動車バッテリーの電圧まで、直列に繋いで、それをその車のバッテリーターミナルに繋いで、エンジンを始動するものがあったが、これもいざとなるとその乾電池が長時間放置等で放電されていて使えない場合があった。これの文献は見当たらないのでブースターケーブルの文献を掲載する。
【特許文献１】特願平９−６２２５７
【発明の開示】
【発明が解決しようとする課題】
【０００５】
本発明が解決しようとする問題点は、突然の車のバッテリーあがりは、大方は他人の協力を得るか、時間と金を浪費し、ロードサービスを利用しなければならない点である。
【課題を解決するための手段】
【０００６】
本発明は、他人やロードサービスの協力を得ず、手持ちの充電電動工具のバッテリーをエンジン始動の電源に使用する、という事を特徴としている。
【発明の効果】
【０００７】
本発明の電池パック用バッテリーブースターは、最近、流行の充電電動工具を使用している者なら、車のバッテリーあがりにも迅速に対応出来るのである。
【発明を実施するための最良の形態】
【０００８】
バッテリーあがりの車を手軽に始動する為に、収納に便利な様に最小の部品点数にし、使用形態上電線も短く済み、小型化している。
【実施例１】
【０００９】
図１は、本発明を電池パック１に装着している状態の斜視図である。１は充電電動工具に使用する電池パックである、２は電池パックの電極である、３は電池パックの電極を構成している部分に被せるキャップの内側に電極を設けた電源取り出し用の電極同士を電気的に接触させる為の電極キャップである。４は電極キャップ３の電極から引き出した引き出し導体である。５は引き出し導体の他方端に設けた、バッテリーあがりした車のバッテリーターミナル部分に噛ませて電気的に接続する鰐口クリップである。これら、電極キャップ３、引き出し導体４、鰐口クリップ５は一体に設けてある。
【００１０】
実施例１の使用方法は、鰐口クリップ５をバッテリーあがりした車のバッテリーターミナル部分に電気極性を合わせて噛ませ、充電電動工具のバッテリーパックの電極部に電極キャップ３を電気極性を合わせ被せてエンジンを回す。
【００１１】
実施例１では電極キャップ３を電池パック１の電源取り出しにしているが、電池パック１はメーカーによりそれぞれ形が違う為に、形の似た電池パック１に柔軟に対応出来る様に設けているが、全く形の違う場合はそれぞれのメーカーの電池パック１の電極部分の形に合わせた、電極キャップ３を別に設け取り替え可能にしても良い。
【実施例２】
【００１２】
図２は実施例２の説明図である。６は実施例１の電極キャップ３の代わりに設けた、電池パッククリップ６である。この様に電極キャップ３の代わりに、両口の内側それぞれに異極性の電極を設け電池パック１の電極部に挟んで使用する電池パッククリップ６にしても良い。要は電池パック１の電極から簡単に電源を引き出せれば良いのであり電極キャップ３や電池パッククリップ６の形状にはこだわらない。
【産業上の利用可能性】
【００１３】
充電電動工具のバッテリーパックから電源を取り出すことが出来る、本発明の電池パック用バッテリーブースターを使用する事により、車のバッテリーあがりの際、右往左往する事なく迅速に且つ簡単に一人で車を始動する事が出来る。
【図面の簡単な説明】
【００１４】
【図１】電池パック用バッテリーブースターを電池パック１に装着した説明図である。（実施例１）
【図２】電極キャップ３を電池パッククリップ６に代えた説明図である。（実施例２）
【符号の説明】
【００１５】
１    電池パック
２    電極
３    電極キャップ
４    引き出し導体
５    鰐口クリップ
６    電池パッククリップ  
【図１】
2008198378.tif 000003
【図２】
2008198378.tif 000004
(57)【要約】【課題】現在の電池は未使用時においても自然放電による寿命がある。本発明における電池は放電がなく長期保存に優れ、かつ使用時に電池内部の構成要素をワンタッチにて反応させ電池として機能させることができる空気電池を提供することを目的とする。【解決手段】空気電池の構成要素である電極、溶液、電解質、配線、空気拡散紙をケース又は袋にコンパクトに封入し、使用時にワンタッチにて各構成物を瞬時に反応させ、配線コードを繋ぐことで電池として機能させるようにした空気電池。【選択図】図１
2008198362.tif 000002
【特許請求の範囲】
【請求項１】
空気電池の各構成要素（電極、溶液、電解質、配線、空気拡散紙）をケース・袋等の封入体にコンパクトに封入した空気電池。
【請求項２】
空気電池の構成要素をワンタッチにて反応させ電池として機能させることができる請求項１記載の空気電池。
【請求項３】
空気電池を利用した長期保存ができる請求項１または２に記載の空気電池。
【請求項４】
電解質を染み込ませた空気拡散紙などを巻き付けておいた電極並びに水溶液・電解溶液は別々に封入し、電池と機能させるために化学反応させるときは、構成要素間の仕切りを取り除く又は破る等の方法を取る請求項１〜３のいずれかに記載の空気電池。
【請求項５】
配線コードの端子は、金属ウールを有している請求項１〜４のいずれかに記載の空気電池。
【発明の詳細な説明】
【技術分野】
【０００１】
本発明は、長期保存に優れた空気電池に関する。
【背景技術】
【０００２】
一般的な乾電池は、懐中電灯や時計などの駆動電源として使用されているが、常に微弱な放電が行われている為、保存期間に限界があるという欠点がある。このような欠点があるため、非常電源として性能の劣化無く長期保存することは難しい。
従来の電池の使用推奨期限は
１.マンガン電池→約３年程度
２.アルカリ電池→約２年程度
３.リチウム電池→約５年程度
４.ニカド電池→充電しなければ約３〜６カ月程度
といわれている。
【０００３】
一般的な乾電池の長期保存する手段として、電極を絶縁し直射日光の当たらない乾燥した涼しい場所に保管する方法が推奨されている。しかし、推奨方法では、数年程度以上の長期保存はできないという問題がある。
【発明の開示】
【発明が解決しようとする課題】
【０００４】
このような課題に対し、次の対策が考えられる。常に微弱な放電が行われなくする為と性能の劣化無く長期保存する為に、電池として利用するときに始めて構成物を化学反応させることで電池として機能させる方法である。
【課題を解決するための手段】
【０００５】
前記課題を解決するために、本発明は、空気電池の構成要素（電極、溶液、電解質、配線、空気拡散紙）をケースに封入し、使用時にワンタッチにて各構成物を瞬時に反応させ、電池として機能させるようにする。接続する電極端子は金属ウールを用いた空気電池に関する。
【発明の効果】
【０００６】
本発明の空気電池は、電池として利用するときに始めて構成要素を化学反応させることで電池としての機能を得られるため、性能の劣化無く保存することができる。
【発明を実施するための最良の形態】
【０００７】
本発明の空気電池は、構成要素（電極、溶液、電解質、配線、空気拡散紙）をケース等にコンパクトに封入している。電解質を染み込ませた空気拡散紙などを巻き付けておいた電極と溶液は別々に封入されている。電池として利用するときは、電極と電解質の仕切りを取り除くまたは破る事等で、ワンタッチにて瞬時に化学反応させ、配線を繋げることで電池として機能させる。
【０００８】
本発明の好ましい実施の形態において、電極の回りに電解質を染み込ませた空気拡散紙などを巻き付けている。
【０００９】
本発明の好ましい実施の形態において、電解質を染み込ませた空気拡散紙が、溶液と反応するだけなので、ワンタッチで電池として機能できる。
【００１０】
本発明の好ましい実施の形態において、配線コードを繋げる際、端子に金属ウールを用いることで、接地面積を増やせるため接地しやすくなる。
【実施例】
【００１１】
以下図面により本発明を説明するが、添付図面は本発明の一実施態様であり本発明を限定するものではない。本発明において図１は本発明空気電池の平面図、図２は図１使用時において仕切りを破った状態の説明図であり、図３は図１使用時において溶液を電極に染み込ませた状態の説明図、図４は図１の配線コードを取り出した状態の説明図、図５は電源を必要とする電子機器に接続した状態の説明図である。
図1から明らかな如く、本発明の長期保存電池は、電極と電解質液と配線コードとは、これらの間に仕切り板を介して、ケースに封入された空気電池である。電極は回りに電解質を染み込ませた空気拡散紙などを巻き付けられている。
【００１２】
この電池の内部には、図１に示すように、正極につなぐ配線１、溶液２、電極３、溶液４、負極につなぐ配線５が、積層されている。配線１、５と溶液２、４と電極３の間には、仕切り６、７、８、９で区分されている。電極３の周辺には電解質を染み込ませた空気拡散紙１０が巻き付けられている。
【００１３】
電池として利用するときは、図２及び図３に示す如く、折り曲げることにより、仕切り７，８を破く事、又は外部から仕切７，８を引き抜く事で内容物が化学反応を始めるようにする。
【００１４】
化学反応が十分出来たら図４に示す如くケース等に内蔵された配線１，５を取り出す。
【００１５】
図５に示す如く、取り出した配線１，５を携帯電子機器や小型電子機器、電源を必要とする電子機器に接続し電源として利用し駆動させる。
【００１６】
本件の空気電池について、起電力試験を行った。
実施例１、
1.電解質を染み込ませた空気拡散紙を巻き付けた備長炭を電極とし、電解質として塩化ナトリウム水溶液を用いた図１に記載した構造の空気電池を作製した。このものの起電力は0.8Ｖであった。電極を接続したものを入れる。
2.電極をモータ（プロペラ付）に接続する。
3.ビーカーの中に溶液を入れ反応させる。
4.プロペラが回転し電力が発生していることを確認。
実施例２、
1.ビーカーの中に電極に電解質を染み込ませた空気拡散紙を巻き付け、
電極を接続したものを入れる。
2.電極を電子オルゴールに接続する。
3.ビーカーの中に溶液を入れ反応させる。
4.電子オルゴールが鳴動し電力が発生していることを確認。
【００１７】
起電力試験では、平均0.8Vが計測された。
【図面の簡単な説明】
【００１８】
【図１】本発明の一実施例である空気電池の平面図である。
【図２】図１を電池として使用時の説明図であり、仕切りを破った状態の説明図である。
【図３】図１を電池として使用時の説明図であり、溶液を電極に染み込ませた状態の説明図である。
【図４】図１の配線コードを取り出した状態の説明図である。
【図５】電源を必要とする電子機器に接続した状態の説明図である。
【符号の説明】
【００１９】
１  正極につなぐ配線
２、４  水溶液・電解溶液
３  電極
５  負極につなぐ配線
６、７、８、９  仕切り
１０  空気拡散紙
１１  金属ウール
１２  封入体
【図１】
2008198362.tif 000003
【図２】
2008198362.tif 000004
【図３】
2008198362.tif 000005
【図４】
2008198362.tif 000006
【図５】
2008198362.tif 000007
(57)【要約】      （修正有）【課題】太陽光等の平行光線を一定の面積を有する受光面に集光し、受光面の光強度を高くするとともに、太陽光等の光エネルギーを電気エネルギー及び熱エネルギーとしてエネルギー利用効率を高くでき、太陽電池の使用量が少なくて済み、安価な集光器を得る。【解決手段】鏡集光発電機は、光を受光する受光器と、受光器を設置ずる位置３を焦光点とする反射光の集光を目的として断面（曲面）が調整されたレンズ状の断面（曲面）である同心円状に配置した反射板１とから構成され、受光器に直接当たる光エネルギーに加えて、受光器の周囲の光エネルギーも反射板により受光器に集光する。【選択図】図１
2008198965.tif 000002
【特許請求の範囲】
【請求項１】
光を集中させるために、断面が曲面である少なくとも３枚の円形の反射板を組み合わせて、発電を行う集光型太陽光発電装置。
【請求項２】
受光器は太陽電池と熱交換器により構成され、受光面が太陽電池であって、前期太陽電池の裏面が冷却媒体により冷却される熱交換器に熱的に接触した受光器を備えたことを特徴とする請求項１記載の集光型太陽光発電装置。
【請求項３】
受光器は太陽電池と熱発電素子及び熱交換器により構成され、受光面が太陽電池であって、前期太陽電池の裏面が熱発電素子を挟んで、冷却媒体により冷却される熱交換器に熱的に接触した受光器を備えたことを特徴とする請求項１記載の集光型太陽光発電装置。
【請求項４】
複数個の光エネルギー集光器を透明板と熱伝導板との間に固定したことを特徴とする請求項１記載の集光型太陽光発電装置。
【発明の詳細な説明】
【技術分野】
【０００１】  この発明は、太陽光線等の平行光線を受光器の受光面に集光し、光エネルギーを有効に利用するための集光型太陽光発電装置に関するものである。
【背景技術】
【０００２】  この発明は、光を集める為に曲面を有した鏡を利用し、光を集めた面に太陽光発電パネルを設置する。
【発明の開示】
【発明が解決しようとする課題】
【０００３】  この発明は、１ｋＷｈ当たりの発電コストを低減、現在最も安いコストの発電手段である原子力発電を下回るコストを実現し、飛躍的に太陽光発電の普及をさせ、発展途上国において電力の普及をさせる事を目的としたものである。
【課題を解決するための手段】
【０００４】  この発明は、心を同じくした円形のミラーを複数重ねて配置することによって、中央に光が集まるように調整した集光型太陽光発電装置である。
【発明の効果】
【０００５】  本発明は光をミラーによって集光し、発電設備としては他の発電方法と比較して製造費用が非常に高い太陽光発電パネルの面積を減らし、実施費用を低減する発明である。これまでの集光型太陽光発電機はレンズを利用していたが、コストダウンを計るためにドーナツ形ミラーを利用する。
【発明を実施するための最良の形態】
【０００６】  ハニカム型、蜂の巣型に小型の装置を集積して装置単体の幅は数ＣＭから２０ＣＭ位である。装置の幅が広くなると高さも高くなる為、材料費が増えるので、小型で精密に実施するとコストが抑えられる。単体が大型化すると風などが当たる面積が増え強度が必要とされるので、実現性が低くなってしまう。
【実施例】
【０００７】  条件によっては５００倍−１０００倍の集光が可能と考えられる。集光型太陽光発電でガリウムヒ素を用いた素子を利用すると、３６％以上の変換効率が可能と実証されていて、実際にレンズ集光による製品も実用化されている。素子が加熱すると発電効率が下がるので、素子は冷却液に浸す等して、冷却しなければならない。追尾式の設置方法としては、幅２０メートル程度の長方形のモジュールが横長に配置されており、モジュールが回転すると同時にモジュールの裏面の支えが稼働して２つの軸を調整して常に太陽の方向にモジュールが向いているようにしなければならない。ミラーは複数枚を組み合わせるが、内側に位置するミラーである程、高くなる。直射日光を直接当てるために、素子の真上にはミラーは設置しない。
【産業上の利用可能性】
【０００８】  散乱光は集光できないが、赤道直下等、雲が少なく直射日光が多い地域で将来の主要な発電手段となりうる。日本においては従来の分散型家庭用システムでは直射日光による発電しかできない為、本発明は、電気を継続的に得られないため、利用はほぼ不可能であるが、立地条件の見合った集中型システムの導入によってのみ安価でクリーンな電力が得られるのである。太陽追尾式なのでマイクロコントローラー等、多少複雑な部品を必要とするので設計が多少難度が高い。論文「ゴビ砂漠における大規模太陽光発電システムのライフサイクル評価」によると、１Ｗ当たり発電装置（従来ではパネル）コストが１ＵＳＤを下回ると、ゴビ砂漠に於いて１８０ＭＵＳＤで１００ＭＷ級発電所を建設できる。既存で最も安い発電である原子力発電をコストで差し置かない限り先進国で主要な発電手段になる可能性は無い。しかし原子力発電を持たない発展途上国で主要な発電手段になりうる。日本国内に於いて設置する価値は低い本発明ではあるが、海外特に赤道直下の沙漠地域において有効性が発揮される。日本は曇りが多いことから、日本に於いては製品化すら困難であると予想されるので、世界的視点に立った早期の事業化が求められる。２０１０年には日本の太陽光発電市場は１兆円と予想される。輸出産業の成長と、国際社会への貢献のためには本発明のような本流とかけ離れた技術の採用も必要であると考える。【０００９】レンズを用いた集光式の場合、精度を高め、集光度を上げる為には鏡を用いた場合より明らかに実施費用が掛かる等の問題、実現性の低さが考えられる。パラボラアンテナ型ミラーによる集光型の場合、発電素子の冷却機構を設置しにくく、部品点数が多くなりがちである。太陽熱で温水を発生する用途では実施例がある。パラボラ型による２回反射型の場合、鏡の反射率が９５％程度であるため、効率が悪化するし、精度の関係で中央に光が集まりにくく、効率を上げにくい。太陽光等の平行光線を一定の面積を有する受光面に均一に集光し、受光面の光強度を高くするとともに、太陽光等の光エネルギーを電気エネルギーまたは熱エネルギーとしてエネルギー利用効率を高くでき、太陽電池の使用量が少なくて済み、安価な集光器を得ることを目的とする。
【図面の簡単な説明】
【００１０】
【図１】  装置の鏡の曲面の曲がり具合の一例を示した、横方向から見た断面図である。
【図２】  光入射方向（上方向）から見た装置を示した平面図である。
【符号の説明】
【００１１】  １  装置の反射材（鏡）部分
２  入射してくる光の進む方向を示す線
３  太陽光発電素子を設置する場所であり、集光点である。
【図１】
2008198965.tif 000003
【図２】
2008198965.tif 000004
(57)【要約】【課題】  従来、理髪店や公衆浴場などで、目の前の大きな鏡に映った時計を見た場合、文字盤やその周りの縁の数字・文字や図画・立体物が逆に写るため、非常に見にくく、時刻がわかりにくいものであったが、時計の文字盤やその周りの縁に、反射文字・反射図画・反射立体物を用い、時計の針が左回りに動く時計を提供する。【解決手段】  時計の文字盤やその周りの縁に、鏡などで反射させて見ることにより、普通に直視したときと同じように見える数字・文字や図画（反射文字・反射図画、または、逆文字・逆図画、あるいは、裏返し文字・裏返し図画）を書き、また、鏡などで反射させて見ることにより、普通に直視したときと同じように見える立体物（反射立体物、または、逆立体物、裏返し立体物）を付属させて、時計の針を左回りに動かすことを特徴とする。【選択図】図１
2008102111.tif 000002
【特許請求の範囲】
【請求項１】
時計の文字盤やその周りの縁に書いてある、数字・文字や図画に、また、付属させる立体物に、鏡などで反射させて見ることにより、普通に直視したときと同じように見える数字・文字や図画（反射文字・反射図画、または、逆文字・逆図画、あるいは、裏返し文字・裏返し図画）を書いたもの、また、鏡などで反射させて見ることにより、普通に直視したときと同じように見える立体物（反射立体物、または、逆立体物、裏返し立体物）を付属させたもので、時計の針が左回りに動く反射式時計。
【発明の詳細な説明】
【技術分野】
【０００１】  この発明は、時計の文字盤やその周りの縁に書いてある数字・文字や図画に、鏡などで反射させて見ることにより、普通に直視したときと同じように見える数字・文字や図画（反射文字・反射図画、または、逆文字・逆図画、あるいは、裏返し文字・裏返し図画）を書いたもので、また、鏡などで反射させて見ることにより、普通に直視したときと同じように見える立体物（反射立体物、または、逆立体物、裏返し立体物）を付属させたもので、時計の針が左回りに動くようにした時計に関するものである。
【背景技術】
【０００２】  従来、時計は、自然に直視するものであり、文字盤や周りの縁の数字・文字や装飾のための図画・立体物は、直視したときに普通に見えるものであった。
【発明の開示】
【発明が解決しようとする課題】
【０００３】  これは次のような問題点があった。
理髪店や公衆浴場などで、目の前の大きな鏡に映った従来の時計を見た場合、文字盤の数字・文字や図画・立体物が逆に写るため、非常に見にくく、時刻がわかりにくいものであった。
本発明は、以上のような欠点をなくすためになされたものである。
【課題を解決するための手段】
【０００４】  時計の文字盤やその周りの縁に、鏡などで反射させて見ることにより、普通に直視したときと同じように見える数字・文字や図画（反射文字・反射図画、または、逆文字・逆図画、あるいは、裏返し文字・裏返し図画）を書いて、また、鏡などで反射させて見ることにより、普通に直視したときと同じように見える立体物（反射立体物、または、逆立体物、裏返し立体物）を付属させて、従来、右回りであった時計の針を、左回りに動かす。
以上の構成よりなる反射式の時計である。
【発明の効果】
【０００５】  鏡などに反射させて、この時計を見ると、普通の時計を直視しているように数字・文字や図画・立体物が普通に見えるようになり、非常に見やすく、時刻がわかりやすい。
【発明を実施するための最良の形態】
【０００６】  以下、本発明の実施例について説明する。
時計の文字盤やその周りの縁に、鏡などで反射させて見ることにより、普通に直視したときと同じように見えるようになる数字・文字や図画（反射文字・反射図画、または、逆文字・逆図画、あるいは、裏返し文字・裏返し図画）を書く。また、鏡などで反射させて見ることにより、普通に直視したときと同じように見える立体物（反射立体物、または、逆立体物、裏返し立体物）を付属させる。
時計の針を左回りに動かす。
本発明は、以上のような構造でこれを使用するときは、洗面台の後ろに設置して、洗面台に鏡を設置する。洗面台の鏡に映ったものは、普通に直視する時計のように見えて、時刻がはっきりとわかり見やすい。
また、理髪店や公衆浴場などで、大きな鏡や多数の鏡があるところで、鏡の後ろ側にこれを設置して、目の前の鏡に映ったものを見れば、普通に直視する時計のように見えて、時刻が見やすくはっきりとわかる。
【図面の簡単な説明】
【０００７】
【図１】本発明の正面図である。
【図２】本発明が鏡に映った場合の正面図である。
【図３】本発明の側面からの使用図である。
【符号の説明】
【０００８】１  鏡などで反射させて見ることにより、普通に直視したときと同じように見える数字（反射数字、または、逆数字、あるいは、裏返し数字）
２  鏡などで反射させて見ることにより、普通に直視したときと同じように見える文字（反射文字、または、逆文字、あるいは、裏返し文字）
３  鏡などで反射させて見ることにより、普通に直視したときと同じように見える図画（反射図画、または、逆図画、あるいは、裏返し図画）
４  花の形をした立体的な物体。鏡などで反射させて見ることにより、普通に直視したときと同じように見える立体物（反射立体物、または、逆立体物、裏返し立体物）
５  針。鏡などで反射させて見ることにより、普通に直視したときと同じように見える立体物（反射立体物、または、逆立体物、裏返し立体物）
６  反射式時計
７  鏡
【図１】
2008102111.tif 000003
【図２】
2008102111.tif 000004
【図３】
2008102111.tif 000005
(57)【要約】      （修正有）【課題】カテゴリーを数項目に限定、特化し、検索をより迅速化したインターネット上の情報検索システムに関する。【解決手段】インターネット上のホームページにおいて、人の心身の癒しに関するドメインを作り、その中で、関連するカテゴリーを数項目（温泉、岩盤浴、アロマトリートメント、フーレセラピー、カイロプラクティック、リフレクソロジー等）に限定した検索サイトを設け、これに限定した情報を登録する。検索者は、このドメインを検索することによって、詳細かつ迅速に人の心身の癒しに関する情報を、施術法や店舗情報等も含めて得ることができる。【選択図】図１
2008102888.tif 000002
【特許請求の範囲】
【請求項１】
人の心身を癒すための手段・方法を数項目に限定、特化したカテゴリーと、これらのカテゴリーが示す内容に賛同する店舗、温泉宿泊情報を登録し、人の心身を癒すための手段・方法と店舗、温泉宿泊情報の検索を容易にすることを特徴とするインターネット上の情報検索システム。
【発明の詳細な説明】
【技術分野】
【０００１】  本発明は、カテゴリーを数項目に限定、特化し、検索をより迅速化したインターネット上の情報検索システムに関するものである。
【背景技術】
【０００２】  現在の検索サイトは、一つのサイトに数十カテゴリー、あるいは単一カテゴリーとその関連情報を登録した検索サイトである。
【発明の開示】
【発明が解決しようとする課題】
【０００３】  そのために、次のような問題点があった。
（イ）現在の大手検索サイトは、ひとつのサイトに全カテゴリーとそのデータを登録するため、検索結果のデータ量が多く、かつ複雑である。
（ロ）一方単一カテゴリーサイトからの検索情報では、データ量が少ないため新たな数サイトに情報検索を行わざるを得ない。
このため要件検索に多くの時間と労力を要する。
本発明は、以上の問題点を解決するためのものである。
【課題を解決するための手段】
【０００４】  顧客サービスを提供するためデータセンターにサーバーを配置し、インターネット上にホームページを設ける。当該ホームページのドメインをｉｙａｓｈｉ−ｎｅｔ．ｃｏｍとする。
ついで、当該ホームページ上の検索サイトに人の癒しに関連したカテゴリーを６項目に限定、特化し設定し、カテゴリーが意味する情報を登録する。
以上を特徴としたインターネット上の情報検索システムである。
【発明の効果】
【０００５】  人の心身を癒すための手段・方法に関する限り迅速に要件検索が可能である。
【発明を実施するための最良の形態】
【０００６】  以下本発明の実施の形態について説明する。
顧客サービスを提供するためデータセンターにサーバーを配置し、次の順にコンテンツを得る。
（イ）インターネット上にホームページを設ける。
（ロ）当該ホームページのドメインをｉｙａｓｈｉ−ｎｅｔ．ｃｏｍとする。
（ハ）当該ホームページ上の検索サイトに人の癒しに関連したカテゴリーを次の６項目に限定、特化し設定する。
１温泉
２岩盤浴
３アロマトリートメント
４フーレセラピー
５カイロプラクティック＆整体
６リフレクソロジー
（ニ）次に、設定したカテゴリーに関する施術法の説明やそれらを実施する店舗情報、カテゴリーのうち温泉については宿泊情報等を登録する。
本発明は以上のような構成で、サービス利用者はインターネットにアクセス可能な端末（１）からＷｅｂサイトサーバーのＵＲＬを指定する。当該サーバー（２）に格納されている６項のカテゴリーが表示される。
次にサービス利用者はＵＲＬに表示されたカテゴリーにアクセスし施術法やそれら実施する店舗情報、宿泊情等を同一ＵＲＬ内で簡単・迅速に得ることができる。
【図面の簡単な説明】
【０００７】
【図１】本発明のチャート図
【符号の説明】
【０００８】        １サービス利用者の端末
２ＵＲＬを格納しているサーバー
３格納カテゴリー（イ）温泉
４格納カテゴリー（ロ）岩盤浴
５格納カテゴリー（ハ）アロマトリートメント
６格納カテゴリー（ニ）フーレセラピー
７格納カテゴリー（ホ）カイロプラクティック＆整体
８格納カテゴリー（ヘ）リフレクソロジー
【図１】
2008102888.tif 000003
(57)【要約】【課題】屋内、もしくは天井と床面の間が有る場所に簡単に防犯機器を取付ける事が出来、移動及び移設が簡易に出来る構造を有し、インテリアとしても利用可能な防犯用伸縮自在棒を提供する。【解決手段】伸縮棒（Ｚ）の上部に防犯機器用スペンサー（ａ１）を設置する事であらゆる簡易防犯機器を取付ける事が出来る。伸縮棒（Ｚ）の取付け設置を行う天井から床面の高さより若干長く伸縮部（００７）を伸ばしバネ式伸縮部（００４）により、天井から床面の間に、伸縮棒（Ｚ）を強固に固定する事が出来る。以上の事より防犯機器を取付けられる事が出来、移動及び設置が簡易になる。尚、前記伸縮棒（Ｚ）に造花による装飾を行う事により、インテリアとしても利用可能な防犯用伸縮自在棒を提供することが出来る。【特許請求の範囲】
【請求項１】
室内、もしくは天井と床が有る場所に簡単に防犯用機器を取付ける事が出来、移動及び、設置が簡単に出来る構造を有し、インテリアとしても効果のある、防犯用伸縮自在棒。
【請求項２】
請求項１記載の防犯用伸縮自在棒は、天井に固定する為の天井パット（００１）、床面を固定する為の（００５）床面パット、伸縮自在な構造を備えた（ａ１）の伸縮部、伸縮した位置を固定する為の、伸縮部固定ノブ（００２）、固定設置の為のバネ式伸縮部（００４）、軽量のカバンや手荷物を引っ掛けておく事の出来るフック（００３）、前記防犯用伸縮自在棒の上部に、設置された、防犯用機器取付けスペーサー（ａ１）を備えた請求項１の防犯用伸縮自在棒。
【請求項３】
前記請求項１〜２記載の防犯用伸縮自在棒は、造花（００６）を巻き付ける事により室内外のインテリアとしても利用する事の出来る、請求項１〜２記載の防犯用伸縮自在棒。
【発明の詳細な説明】
【技術分野】
【０００１】本発明は、防犯用機器などを簡易に伸縮棒により、天井と床面が有る所に、取付ける事の出来る防犯用伸縮自在棒。
【背景技術】
【０００２】従来の防犯機器は壁面、又は天井等に取り付け、設置するものである。壁面、天井に取り付ける場合、取付け箇所に傷が付いてしまい、アパート、マンションといった借家では、取り付け出来ないケースがある。又、取付けた場合においても、引越し等を行う際、壁面や天井に付いた傷を、保障しなければならない。又従来の防犯機器設置においては、一度取付けを行うと、機器の場所を移動させたい場合においても、専門業者に依頼しなければならない。従来の防犯機器の設置は、取り付けにコストが掛かる上、取り付け不可能な場合や移設にもコストが掛かる。以上の事から天井に、設置傷を付ける事無く、簡易に取付けが出来、簡易に移設を行う事の構造を有す防犯機器が必要である。
【発明の開示】
【発明が解決しようとする課題】
【０００３】本発明は以上の点に鑑み防犯機器取付けにより、壁、天井への傷を作らず、簡易に取付けが可能で、移設を行う際にも工事不要の構造を備え、低コストで設置が出来る、防犯用伸縮自在棒を、提供する事である。
【課題を解決するための手段】
【０００４】前記課題を解決する為、本発明防犯用伸縮自在棒は、１本の伸縮棒に防犯機器用スペンサーを取付ける事で、伸縮棒に防犯機器を取付ける事を可能にした。前記伸縮棒は、天井に固定する為の、天井パット（００１）、床面を固定する為の（００５）床面パット、伸縮自在な構造を備えた（ａ１）の伸縮部、伸縮した位置を固定する為の伸縮部固定ノブ（００２）、固定設置の為のバネ式伸縮部（００４）、軽量のカバンや、手荷物を引っ掛けておく事の出来るフック（００３）、伸縮部（００７）に設置された防犯機器用スペンサー（ａ１）を備え、伸縮棒に造花（００６）を巻き付ける事で、インテリアとしても利用可能とした、本発明の防犯用伸縮自在棒。【０００５】前記防犯用伸縮自在棒の、天井パット（００１）及び、床面パット（００５）には、ウレタン素材を使用しており、設置する場所に傷を付ける事無く、天井と床面の間を固定する事を可能とした。【０００６】前記防犯用伸縮自在棒の伸縮部（ａ１）及び、バネ式伸縮部（００５）により天井と床面の間を固定する事が出来る為、簡易に設置、又は移設する事を可能とした。【０００７】前記防犯用伸縮自在棒上部に、防犯用スペンサーを取付ける事により、簡易に設置又は移設出来、壁面、天井に傷を付ける事無く、防犯機器を取付ける事を可能とした。
【発明の効果】
【０００８】請求項１〜３に記載の発明は、壁面、天井、床面に傷つける事無く、防犯機器を簡易に取付ける事が出来、前記防犯機器の移設も、簡易に出来る構造を備えた、本発明の防犯用伸縮自在棒。
【発明を実施するための最良の形態】
【０００９】本発明の防犯用伸縮自在棒を図１に示す。
本発明に係る防犯用伸縮自在棒は、天井と床面間の高さに合わせる事の出来る（００７）の伸縮部、防犯機器を取付ける事の出来る（ａ１）の防犯機器用スペンサー、天井接触部を保護する天井パット（００１）、床面接触部を保護する床面パット（００５）、伸縮部（００７）を固定する為の伸縮部固定ノブ（００２）、軽量のカバンや手荷物を引っ掛ける事の出来るフック（００３）、（Ｚ）の伸縮棒を天井と床面に強固に固定する為のバネ式伸縮部（００４）伸縮棒（Ｚ）をインテリアとして利用可能にする為の造花（００６）からなっている。【００１０】「実施形態の効果」
この実地形態によれば、伸縮棒（Ｚ）の上部に取付けられた防犯機器用スペンサー（ａ１）により伸縮棒（Ｚ）に簡易に防犯機器を取付ける事が出来、伸縮部（００７）及びバネ式伸縮部（００４）により簡易に設置及び移設が出来、天井パット（００７）及び床面パット（００５）により天井及び床面に傷を付ける事無く設置出来、造花（００６）によりインテリアとしても利用可能になる。以上の事より設置及び移設が低コストで簡易に行え、天井、床面等に傷が付かずインテリアとしても利用可能な本発明の防犯用伸縮自在棒になっている。【００１１】「他の実施形態」
図１の実地形態は防犯機器を取付けるスペンサー（ａ１）を備えていたが、取付ける機器は防犯機器でなくとも良い。簡易火災報知機やフラッシュライト等でも取り付ける事が可能となっている。【００１２】図２の実地形態は、図１の防犯用伸縮自在棒を横向きに設置した図である。
天井及び床面に取付けるのが困難な場合、両側に壁のある場所に前記示したように、天井と床面に本発明の防犯用伸縮自在棒を固定する方法と同じ方法により、両側面に取り付ける事が可能である。
【図面の簡単な説明】
【００１３】
【図１】本発明の実地例１を示す図である。
【図２】本発明の実地例２を示す図である。
【符号の説明】
【００１４】（００１）天井パット
（００２）伸縮部固定ノブ
（００３）フック
（００４）バネ式伸縮部
（００５）床面パット
（００６）造花
（００７）伸縮部
（ａ１）  防犯機器用スペンサー
（Ｚ）    伸縮棒
【図１】
2008102889.tif 000002
【図２】
2008102889.tif 000003
(57)【要約】      （修正有）【課題】小売店での販売促進効力を向上させる。【解決手段】小売店の商品陳列棚付近に映像機器を設置し、それにインターネット接続配信を利用して、その商品陳列棚に陳列してある複数の商品の広告やそれに関する情報を消費者にダイレクトに提供する。この結果、実物の商品を目の前にしている購買意欲の高いレベルにある消費者にダイレクトに商品広告ができ、なおかつ時間とともに変化する消費者動向に合わせて情報を提供できるため小売業の販売促進方法として非常に効率が良くなる。【選択図】なし【特許請求の範囲】
【請求項１】
小売業における、映像機器を利用した、インターネット接続配信による商品の広告、情報を提供する販売促進方法のビジネスモデル
【発明の詳細な説明】
【技術分野】
【０００１】本発明はインターネット接続配信を利用した、小売業における商品の販売促進を行うためのビジネスモデルである。
【背景技術】
【０００２】従来の小売業における主な販売促進方法といえば、販売している商品のメーカーによるテレビ、ラジオ、新聞、雑誌などの媒体を利用しての、販売商品の広告を一般消費者への提供だった。【０００３】小売業店舗の商品陳列棚に映像機器などを設置して、その映像機器で単一商品の単一広告を繰り返し一般消費者へ提供していた。
【発明の開示】
【発明が解決しようとする課題】
【０００４】前項０００２の販売促進方法は、テレビ、ラジオ、新聞、雑誌などそれらの媒体を利用している時だけの一過性のものという欠点があり、消費者が実際の商品を購入する場所、すなわち小売店での販売促進効力は薄れていた。【０００５】前項０００３の販売促進方法は、映像機器で表示されている広告は単一で消費者にすぐに飽きられ、時間とともに変化する小売店の消費者動向に合っていなかった。
【課題を解決するための手段】
【０００６】商品陳列棚付近に映像機器を設置し、それにインターネット接続配信を利用して、その商品陳列棚に陳列してある複数の商品の広告やそれに関する情報を消費者にダイレクトに行い、小売業の商品販売促進につなげる。
【発明の効果】
【０００７】商品メーカーはこの発明を通じて、実物の商品を目の前にしている購買意欲の高いレベルにある消費者にダイレクトに商品広告ができる。【０００８】小売店は商品の購買意欲が高いレベルにある消費者へダイレクトに商品広告がされるため販売促進効率が上がり、それを時間とともに変化する消費者動向に合わせて提供できる。【０００９】小売業、商品メーカーはこの発明を通して商品広告以外の情報も発信できるため単一商品だけの売上げアップではなく、小売業、商品製造業全体の繁栄につながる。
【実施例】
【００１０】コンビニエンスストアなどの小売店の商品陳列棚の上部に映像機器を設置し、それをインターネット接続し、陳列してある商品の広告やそれに関する情報を、店舗の消費動向に合わせて消費者に提供する。